(57)【要約】【課題】製造コストを増大させることなく、先端の汚れを防止可能な筆記用具を提供すること。【解決手段】筆記用具１は、インキ又は芯粉を紙葉類に塗布可能、且つ、その先端が傾斜して形成された筆記部３２を有する複数の筆記体１１と、その先端に形成され、筆記部３２を支持する孔部２２、及び、その内周面に形成され、稜部が筆記部３２の先端と当接する、孔部２２と連続して形成された段差部２５ａを具備する大先１６と、大先１６に設けられ、大先１６とともに筆記体１１を収納する軸筒１５と、筆記部３２を小孔２２から出没させる駆動機構１２と、を備える構成とする。【選択図】      図１
2015116671.tif 000002
【特許請求の範囲】
【請求項１】
インキ又は芯粉を紙葉類に塗布可能、且つ、その先端が円錐状に形成された筆記部を有する複数の筆記体と、
その先端に形成され、前記筆記部を支持する孔部、及び、その内周面に形成され、稜部が前記筆記部の先端と当接する、前記孔部と連続して形成された段差部を具備する大先と、
前記大先に設けられ、前記大先とともに前記筆記体を収納する軸筒と、
前記筆記部を前記孔部から出没させる駆動機構と、
を備えることを特徴とする筆記用具。
【請求項２】
前記段差部は、複数の異なる径で形成された円筒状面により形成されることを特徴とする請求項１に記載の筆記用具。
【請求項３】
前記複数の円筒状面は、隣合う前記円筒状面の半径の差が、前記筆記部の外面及び前記インキ又は前記芯粉が排出される部位との距離よりも小さく形成されていることを特徴とする請求項２に記載の筆記用具。
【請求項４】
前記段差部は、隣合う前記円筒状面の間、並びに、前記円筒状面及び前記孔部間を連続する複数の円錐状面をさらに備えることを特徴とする請求項２に記載の筆記用具。
【請求項５】
前記円筒状面は、前記大先の軸心に対して傾斜して形成されることを特徴とする請求項２に記載の筆記用具。
【請求項６】
前記大先は、透明又は透光性を有する材料により形成されていることを特徴とする請求項１に記載の筆記用具。
【発明の詳細な説明】
【技術分野】
【０００１】
本発明は、複数のレフィルを有する筆記用具に関する。
【背景技術】
【０００２】
現在、ボールペンのレフィルやシャープペンシルのレフィル等を複数設け、作動子によっていずれか一のレフィルを、筆記用具の先端を構成する大先の孔部から突出させることで、筆記可能な筆記用具が知られている。
【０００３】
このような筆記用具は、複数のレフィルが設けられることから、これらレフィルが筆記用具の軸心に対して偏心して配置される。筆記用具の先端は、筆記用具の軸心上に配置されることから、レフィルの先端は、大先の傾斜面に沿って先端に案内される。
【０００４】
このため、レフィルの先端が大先の孔部の周辺及び内面に触れると、大先にレフィルのインクや芯粉が付着する。大先の先端にボールペンのインクやシャープペンシルの芯粉が付着すると、先端が汚れ、見栄えが悪い、という問題があった。
【０００５】
そこで、大先の先端にインクや芯粉が付着することを防止することが可能な技術（例えば、特許文献１及び特許文献２参照）も知られている。
【０００６】
特許文献１には、レフィルの先端の頂角を、大先の頂角よりも小さい角度とすることで、大先の先端にレフィルの先端が接触することを防止する技術が開示されている。特許文献２には、大先の内周面に、筆記用具の軸心方向に延びる凸部を放射状に配置し、凸部の頂角を、レフィルの先端の頂角よりも小さい角度とすることで、大先の先端にレフィルの先端が接触することを防止する技術が開示されている。
【先行技術文献】
【特許文献】
【０００７】
【特許文献１】特許第３７００６８４号公報
【特許文献２】特許第３４２９７１７号公報
【発明の概要】
【発明が解決しようとする課題】
【０００８】
上述した筆記用具では、以下の問題があった。即ち、大先の頂角とレフィルの先端の頂角の角度の差だけでは、大先とレフィルとの距離が小さいことから、レフィルの先端にインクが溜まっている場合には、当該インクが付着する虞があった。
【０００９】
また、凸部を設ける構成では、金型の形状が複雑となるという問題がある。金型の形状が複雑となると、金型のコストが増加し、結果、筆記用具の製造コストが高くなる、という問題もある。
【００１０】
そこで本発明は、製造コストを増大させることなく、先端の汚れを防止可能な筆記用具を提供することを目的としている。
【課題を解決するための手段】
【００１１】
前記課題を解決し目的を達成するために、本発明の筆記用具は次のように構成されている。
【００１２】
本発明の一態様の筆記用具は、インキ又は芯粉を紙葉類に塗布可能、且つ、その先端が傾斜して形成された筆記部を有する複数の筆記体と、その先端に形成され、前記筆記部を支持する孔部、及び、その内周面に形成され、稜部が前記筆記部の先端と当接する、前記孔部と連続して形成された段差部を具備する大先と、前記大先に設けられ、前記大先とともに前記筆記体を収納する軸筒と、前記筆記部を前記孔部から出没させる駆動機構と、を備える。
【発明の効果】
【００１３】
本発明によれば、製造コストを増大させることなく、先端の汚れを防止可能な筆記用具を提供することが可能となる。
【図面の簡単な説明】
【００１４】
【図１】本発明の一実施の形態に係る筆記用具の構成を示す断面図。
【図２】同筆記用具構成を示す断面図。
【図３】同筆記用具の要部構成の状態の変化を示す説明図。
【発明を実施するための形態】
【００１５】
以下、本発明の一実施の形態に係る筆記用具１を、図１乃至図３を用いて説明する。  
図１は本発明の一実施の形態に関わる筆記用具１の構成を一部断面で示す説明図、図２は筆記用具１に用いられる構成であって、筆記用具１の使用時の状態を示す断面図、図３は筆記用具１の要部構成、具体的には、大先１６及び筆記部３２の動作を示す説明図である。
【００１６】
図１及び図２に示すように、筆記用具１は、所謂スライド式と呼ばれる複数のレフィルが用いられるボールペンから成る筆記用具、又は、ボールペン及びシャープペンシルが一体となった筆記用具等である。本実施の形態においては、筆記用具１は、複数のボールペンのレフィル１１を備える構成を用いて説明する。
【００１７】
図１及び図２に示すように、筆記用具１は、外郭部材１０と、複数の筆記体１１と、これら筆記体１１の一部を外郭部材１０から出没させる駆動機構１２と、を備えている。
【００１８】
外郭部材１０は、軸筒１５と、大先１６と、グリッパー１７と、を備えている。軸筒１５は、樹脂材料により形成され、筆記体１１の一部及び駆動機構１２を収納する。軸筒１５は、その一端が開口するとともに、他端が閉塞する筒状に形成されている。
【００１９】
軸筒１５は、その一端側に大先１６と螺合する雌螺子部１９を有している。また、軸筒１５は、その他端側に、駆動機構１２の一部、具体的には後述する作動子４２の移動を案内する直線的に延設された複数のレール部２０を備えている。レール部２０は、筆記体１１と同数設けられる。
【００２０】
大先１６は、透明又は透光性を有する樹脂材料により形成された樹脂成形品である。なお、ここで、本実施形態における「透光性」とは、内部が視認可能な実質的に透明なものを意味し、例えば、黒色、白色、緑色、青色又は赤色等の着色や、内部に気泡の含有がなされており、且つ、内部が視認可能なものである。
【００２１】
大先１６は、その一端側が他端側よりも先細形状に形成され、両端が開口する筒状に形成されている。なお、大先１６の一端側は、筆記用具１の先端を形成する。
【００２２】
具体的に説明すると、大先１６は、先細形状の筒状に形成される。大先１６は、その一端側に形成された小孔２２と、その他端の開口に形成され、軸筒１５の雌螺子部１９と螺合する雄螺子部２３と、を備えている。図２に示すように、大先１６は、外郭部材１０の先端側の一部を形成する先端部２５と、グリッパー１７を挿入し、且つ、支持可能に形成された挿入部２６と、を備えている。
【００２３】
先端部２５は、挿入部２６側から先端に向かって漸次縮径する曲面によって略円錐状に形成され、その先端に小孔２２が形成される。先端部２５は、その内周面に、挿入部２６側から小孔２２に向かって、段差状に漸次縮径するように異なる内径で形成された段差部２５ａが形成されている。段差部２５ａは、円筒状面２５ｂと、隣合う円筒状面２５ｂ間を接続する円錐状の円錐状面２５ｃと、を備えている。
【００２４】
換言すると、先端部２５の内周面には、複数の異なる内径の円筒状面２５ｂによって漸次縮径して形成されるとともに、円筒状面２５ｂ間が環状の斜面である円錐状面２５ｃによって連続することで段差部２５ａが形成される。このような先端部２５の内周面は、挿入部２６側の端部から小孔２２までが、複数の段差によって連続して形成される。
【００２５】
図１乃至図３に示すように、円筒状面２５ｂは、例えば、異なる内径で５つ形成される。円筒状面２５ｂは、外郭部材１０（大先１６）の軸心に対して平行の円筒状の面によって構成される。また、円筒状面２５ｂは、その半径と隣合う円筒状面２５ｂの半径との差、及び、その半径と隣合う小径２２の半径との差が、チップ３２の最も大きい外径から軸心、より具体的には、チップ３２のインクが外部に排出される部位までの距離よりも小さく形成されている。
【００２６】
円錐状面２５ｃは、その頂角が、筆記体１１の後述するチップ３２の頂角よりも大径に形成されている。
【００２７】
挿入部２６は、その外径が、隣接する先端部２５の外径よりも小径に形成されるとともに、グリッパー１７の内径と略同一又は若干小径に形成されている。
【００２８】
小孔２２は、チップ３２の外径と略同一径又は若干大径となる内径に形成され、円錐状面２５ｃを介して円筒状面２５ｂと連続する孔部である。
【００２９】
グリッパー１７は、例えばシリコンゴム等のエラストマー樹脂により形成されている。グリッパー１７は、筆記用具１の使用者が当該筆記用具１を握持した際に、使用者の指とフィットし、且つ、適度な抵抗（摩擦力）を発生させて滑りを防止可能に形成されている。
【００３０】
筆記体１１は、所謂リフィル等の芯体である。筆記体１１は、インキ管３１と、筆記部３２と、を備えている。インキ管３１は、その内部にインキを収容する。なお、複数の筆記体１１は、例えば、異なる色のインキが収容されたインキ管３１が用いられる。
【００３１】
筆記部３２は、インキ管３１に接続され、インキを紙葉類に塗布可能に形成されている。筆記部３２は、円筒状に形成されるとともに、その先端が円錐状に形成される。筆記部３２は、円錐状の先端にボールを回転可能に支持するチップである。以下、筆記部３２をチップ３２として説明する。
【００３２】
図１及び図２に示すように、駆動機構１２は、固定子４１と、作動子４２と、付勢部材４３と、支持部材４４と、を備えている。固定子４１は、レール部２０の内側縁から互いに対向する内側縁に向かって突出し、且つ、レール部２０の一端側から他端側中途部に向かって延設する作動子４２を案内する突起である。
【００３３】
作動子４２は、レール部２０及び固定子４１に沿って移動する移動体４２ａと、レール部２０から外部に突出する移動体４２ａの一端側に設けられた操作部４２ｂと、移動体４２ａの他端側に設けられ、付勢部材４３を接続する鍔部４２ｃと、移動体４２ａの他端に設けられ、インキ管３１を嵌合固定可能な嵌合部４２ｄと、を備えている。
【００３４】
また、作動子４２は、移動体４２ａの他端に設けられた固定子４１と係合可能な切欠部４２ｅと、移動体４２ａの軸筒１５の内部側に位置する側面に設けられ、他の移動体４２ａと当接する当接体４２ｆと、を有している。
【００３５】
作動子４２は、レール部２０及び固定子４１に沿って移動可能に形成される。作動子４２は、固定子４１の端部に移動すると、軸筒１５の内部方向に進入し、切欠部４２ｅと固定子４１の端部とが係合してその移動が規制される。
【００３６】
作動子４２は、固定子４１の端部側に向かって移動した際に、その当接体４２ｆが軸筒１５の内部方向に進入し、切欠部４２ｅが固定子４１と係合した他の作動子４２の当接体４２ｆと当接可能に形成されている。当接体４２ｆは、当該他の当接体４２ｆと当接することで、当該他の当接体４２ｆを介して他の作動子４２を軸筒１５の外部方向に移動させ、固定子４１と切欠部４２ｅとの規制を解除可能に形成されている。
【００３７】
付勢部材４３は、鍔部４２ｃ及び支持部材４４間に配置され、作動子４２に鍔部４２ｃを介して付勢可能に形成されたコイルバネである。即ち、付勢部材４３は、作動子４２が移動し、切欠部４２ｅと固定子４１の端部とが係合した場合に、作動子４２がレール部２０の一端側へと移動する方向に作動子４２を付勢する。
【００３８】
支持部材４４は、軸筒１５内に固定される。支持部材４４は、インキ管３１を挿通可能、且つ、付勢部材４３を支持可能に形成されている。
【００３９】
次に、このように構成された筆記用具１の使用時の動作について説明する。  
筆記用具１の使用時において、まず、図１の状態から図２の状態となるように、作動子４２をスライドさせる。これにより、筆記体１１が付勢部材４３に抗って移動し、筆記体１１のチップ３２が大先１６の先端の小孔２２から突出する。
【００４０】
具体的には、作動子４２がスライドされると、図３に示すように、チップ３２は、まず、その円錐状の傾斜面の一部が、先端部２５の挿入部２６側に設けられた一番目の円錐状面２５ｃと円筒状面２５ｂとの稜部に当接する。この状態で、作動子４２がさらにスライドされることによって、当該稜部によって、チップ３２が大先１６の軸心に近接する方向に移動するとともに、当該軸心方向に移動する。これにより、図３に示すように、チップ３２の円筒状部が、移動方向の一番目の円筒状面２５ｂに乗り上げる。さらに作動子４２がスライドされることで、二番目の円錐状面２５ｃ及び円筒状面２５ｂの稜部と当接し、二番目の円筒状面２５ｂに移動する。
【００４１】
このように、作動子４２がスライドされることにより、チップ３２が順次、円筒状面２５ｂと当接し、且つ、円筒状面２５ｂ及び円錐状面２５ｃの稜部と当接することで、円筒状面２５ｂにより形成される段差を乗り越えながら小孔２２へ移動する。
【００４２】
次に、作動子４２が終点まで移動されると、作動子４２の切欠部４２ｅが固定子４１により係止されることで、チップ３２は、小孔２２から突出した状態が維持される。
【００４３】
この状態で、筆記用具１の使用者が紙体等の紙葉類にチップ３２の先端のボールを当接させ、任意の筆運び方向に筆記用具１を移動させることで、筆運び方向と相対するチップ３２の外周面の一部が小孔２２の内周面の一部と当接してチップ３２が小孔２２に支持される。このため、チップ３２は、所定の力で紙葉類に当接し、ボールが回転することで、紙葉類と摺動し、当該回転によりボールの表面に付着して排出されたインキ管３１内のインキが紙葉類上に塗布される。
【００４４】
このように構成された筆記用具１によれば、大先１６の先端部２５の内周面に円筒状面２５ｂを形成することで、大先１６の内周面に段差部２５ａを設け、チップ３２の移動を円筒状面２５ｂ及び円錐状面２５ｃの稜部によって案内する構成とする。これにより、筆記用具１は、段差部２５ａの段差を乗り上げるように、チップ３２の移動を案内ことが可能となる。
【００４５】
これにより、チップ３２の先端が、大先１６の内周面と常に一定の距離を維持した状態で小孔２２に向かって移動可能となる。このため、大先１６の内周面にチップ３２の先端、より具体的にはチップ３２の先端のインクが排出される部位が大先１６の内周面に接触することを防止することが可能となる。結果、筆記用具１は、大先１６の先端にインクや芯粉が付着することを防止することができる。
【００４６】
また、大先１６は、その内周面に、異なる径の円筒状面２５ｂを設ける簡単な構成でよく、大先１６を成形する金型の形状を単純な構成とすることが可能となる。円筒状面２５ｂの内径は、その半径と隣合う部位の半径との差を、チップ３２の外周面からチップ３２のインクが排出されるボールまでの距離よりも小さくするだけでよく、高い寸法精度を要しない。このため、金型の製造コストを安価とすることが可能となり、結果、筆記用具１の製造コストの低減が可能となる。
【００４７】
上述したように本実施形態に係る筆記用具１によれば、製造コストを増大させることなく、筆記用具１の大先１６の先端の汚れを防止可能となる。
【００４８】
なお、本発明は前記実施の形態に限定されるものではない。例えば、上述した例では、筆記用具１の筆記体１１をボールペンのレフィルを用いる構成を説明したがこれに限定されず、シャープペンシルや消しゴム等のレフィルを用いる構成であってもよい。シャープペンシルにより構成される筆記体１１を用いることで、大先１６の先端に芯粉が付着することが防止できる。
【００４９】
また、上述した例では、大先１６の先端部２５の内周面を、円筒状面２５ｂ及び円錐状面２５ｃにより段差状に形成される（段差部２５ａを形成する）構成を説明したが、これに限定されない。例えば、大先１６の先端部２５の段差部２５ａは、円筒状面２５ｂの連続により先端部２５の内周面が形成され、円錐状面２５ｃを有さない構成であってもよい。即ち、先端部２５の内周面は、一つの円筒状面２５ｂの稜部にチップ３２の先端の傾斜面が当接することで、チップ３２が乗り上げる構成であれば、適宜設定可能である。
【００５０】
また、円筒状面２５ｂは、内周面が外郭部材１０の軸心（大先１６の軸心）に沿った円筒状である構成を説明したがこれに限定されない。円筒状面２５ｂは、例えば、大先１６の先端に向かって縮径するように、当該軸心に対して数度、例えば１度傾斜する環状面であってもよい。このように、円筒状面２５ｂを軸心に対して若干傾斜させることで、チップ３２が筆記体１１の軸心に対して傾斜して円筒状面２５ｂを乗り上げたときに、より広い範囲で円筒状面２５ｂ及びチップ３２が当接することとなる。また、円筒状面２５ｂは、例えば、大先１６の先端に向かって拡径するように、当該軸心に対して数度傾斜する環状面であってもよい。このような構成とすることで、チップ３２の先端と円筒状面２５Ｂとの距離をより確保することが可能となる。この他、本発明の要旨を逸脱しない範囲で種々変形実施可能である。
【符号の説明】
【００５１】
１…筆記用具、１０…外郭部材、１１…筆記体（レフィル）、１２…駆動機構、１５…軸筒、１６…大先、１７…グリッパー、１９…雌螺子部、２０…レール部、２２…小孔（孔部）、２３…雄螺子部、２５…先端部、２５ａ…段差部、２５ｂ…円筒状面、２５ｃ…円錐状面、２６…挿入部、３１…インキ管、３２…チップ（筆記部）、４１…固定子、４２…作動子、４２ａ…移動体、４２ｂ…操作部、４２ｃ…鍔部、４２ｄ…嵌合部、４２ｅ…切欠部、４２ｆ…当接体、４３…付勢部材、４４…支持部材。
【図１】
2015116671.tif 000003
【図２】
2015116671.tif 000004
【図３】
2015116671.tif 000005